【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
負荷制御システムと、
分散電源から供給される直流電力を交流電力に変換する電力変換装置と、を備え、
前記負荷制御システムは、前記電力変換装置、及び、系統電源の少なくとも一方から電力供給を受けて動作する負荷を制御する制御部を備え、
前記制御部は、前記電力変換装置が自立運転状態で動作中であることを検知した場合、前記負荷の動作モードを、前記系統電源から供給される交流電力で動作する第１動作モードよりも消費電力が低い又は消費電力量が少ない第２動作モードに制御し、
前記分散電源は、蓄電池を含み、
前記負荷は、第２負荷と、前記第２負荷より定格消費電力の大きい第１負荷と、を含み、
前記制御部は、前記自立運転状態で前記第１負荷及び前記第２負荷が動作するとき、前記第１負荷の動作モードを前記第２動作モードに制御する、
電力変換システム。
【請求項２】
前記第１負荷は、動作時間帯を設定するための設定部を有し、
前記第１負荷は、前記設定部によって設定された前記動作時間帯に動作する、
請求項１に記載の電力変換システム。
【請求項３】
前記制御部は、前記第１負荷の動作モードを前記第２動作モードに制御している状態で、所定の解除条件が成立すると、前記第１負荷の動作モードを前記第１動作モードに制御する、
請求項１又は２に記載の電力変換システム。
【請求項４】
前記第１負荷は、ヒートポンプ給湯器を含む、
請求項１〜３のいずれか１項に記載の電力変換システム。
【請求項５】
前記制御部は、前記電力変換装置が前記自立運転状態で動作中であることを検知したことをもって、前記第１負荷の動作モードを前記第２動作モードに制御する、
請求項１〜４のいずれか１項に記載の電力変換システム。
【請求項６】
前記制御部は、前記電力変換装置及び前記系統電源の少なくとも一方から電力供給を受けて動作し、
前記制御部は、電力供給を受けて動作している場合に、前記系統電源の停電状態を示す停電情報を取得することをもって、前記電力変換装置が前記自立運転状態で動作中であることを検知する、
請求項１〜５のいずれか１項に記載の電力変換システム。
【請求項７】
前記第２動作モードは、前記第１負荷が動作を休止する休止状態を含む、
請求項１〜６のいずれか１項に記載の電力変換システム。
【請求項８】
前記第２動作モードは、前記第１負荷が、前記第１動作モードでの消費電力よりも消費電力が抑制された状態で動作する低電力動作状態を含む、
請求項１〜６のいずれか１項に記載の電力変換システム。
【請求項９】
前記第２動作モードは、前記第１負荷が、前記第１動作モードで動作する場合の消費電力量よりも消費電力量が少ない動作モードである、
請求項１〜６のいずれか１項に記載の電力変換システム。
【請求項１０】
請求項１〜９のいずれか１項に記載の電力変換システムと、
前記分散電源と、を備え、
前記電力変換装置の運転状態は連系運転状態と前記自立運転状態とを含み、
前記電力変換装置は、前記連系運転状態では前記系統電源と連系して前記負荷に交流電力を供給し、前記自立運転状態では前記負荷に単独で交流電力を供給する、
分散電源システム。
【請求項１１】
分散電源から供給される直流電力を交流電力に変換する電力変換装置、及び、系統電源の少なくとも一方から電力供給を受けて動作するヒートポンプ給湯器を制御する制御部を備え、
前記制御部は、前記電力変換装置が自立運転状態で動作中であることを検知した場合、前記ヒートポンプ給湯器の動作モードを、前記系統電源から供給される交流電力で動作する第１動作モードから動作を休止させる第２動作モードに制御する、
負荷制御システム。
【請求項１２】
前記ヒートポンプ給湯器は、動作時間帯を設定するための設定部を有し、
前記ヒートポンプ給湯器は、前記設定部によって設定された前記動作時間帯に動作し、
前記制御部は、前記設定部で設定された前記動作時間帯であっても、自立運転状態で動作中であることを検出した場合に前記第１動作モードから前記第２動作モードに制御する、
請求項１１に記載の負荷制御システム。
【請求項１３】
前記制御部は、前記電力変換装置が前記自立運転状態で動作中であることを検知したことをもって、前記ヒートポンプ給湯器の動作モードを前記第２動作モードに制御する、
請求項１１又は１２に記載の負荷制御システム。
【手続補正２】
【補正対象書類名】明細書
【補正対象項目名】発明の名称
【補正方法】変更
【補正の内容】
【発明の名称】電力変換システム、分散電源システム、及び負荷制御システム
【手続補正３】
【補正対象書類名】明細書
【補正対象項目名】０００１
【補正方法】変更
【補正の内容】
【０００１】
本開示は、電力変換システム、分散電源システム、及び負荷制御システムに関する。より詳細には、本開示は、系統電源及び分散電源の少なくとも一方から電力供給を受けて動作する負荷を制御する負荷制御システムを備える電力変換システム、分散電源システム、及び負荷制御システムに関する。
【手続補正４】
【補正対象書類名】明細書
【補正対象項目名】０００５
【補正方法】変更
【補正の内容】
【０００５】
本開示の目的は、電力変換装置が自立運転状態で動作中に負荷の消費電力又は消費電力量を低減可能な電力変換システム、分散電源システム、及び負荷制御システムを提供することにある。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本開示の一態様の電力変換システムは、負荷制御システムと、分散電源から供給される直流電力を交流電力に変換する電力変換装置と、を備える。前記負荷制御システムは、前記電力変換装置、及び、系統電源の少なくとも一方から電力供給を受けて動作する負荷を制御する制御部を備える。前記制御部は、前記電力変換装置が自立運転状態で動作中であることを検知した場合、前記負荷の動作モードを、前記系統電源から供給される交流電力で動作する第１動作モードよりも消費電力が低い又は消費電力量が少ない第２動作モードに制御する。前記分散電源は、蓄電池を含む。前記負荷は、第２負荷と、前記第２負荷より定格消費電力の大きい第１負荷と、を含む。前記制御部は、前記自立運転状態で前記第１負荷及び前記第２負荷が動作するとき、前記第１負荷の動作モードを前記第２動作モードに制御する。
【手続補正７】
【補正対象書類名】明細書
【補正対象項目名】０００９
【補正方法】変更
【補正の内容】
【０００９】
本開示の一態様の負荷制御システムは、分散電源から供給される直流電力を交流電力に変換する電力変換装置、及び、系統電源の少なくとも一方から電力供給を受けて動作するヒートポンプ給湯器を制御する制御部を備える。前記制御部は、前記電力変換装置が自立運転状態で動作中であることを検知した場合、前記ヒートポンプ給湯器の動作モードを、前記系統電源から供給される交流電力で動作する第１動作モードから動作を休止させる第２動作モードに制御する。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本開示によれば、電力変換装置が自立運転状態で動作中に負荷の消費電力又は消費電力量を低減可能な電力変換システム、分散電源システム、及び負荷制御システムを提供することができる。